(57)【特許請求の範囲】
【請求項１】
所定期間における目標電力消費量と実際に使用された電力消費量とを表示する電力監視システムにおいて、
系統電源から供給された電力消費量を測定する電力量測定部と、
この電力量測定部により測定された前記電力消費量を記憶する電力消費量記憶部と、
所定のイベントを記憶するイベント記憶部と、
前記イベント記憶部に所定のイベントの内容を入力する入力部と、
前記入力部により入力された所定のイベントの内容に応じて前記目標電力消費量に前記入力された所定のイベントの内容に応じた期間に増加する電力消費量を加算し、または、前記目標電力消費量から前記入力された所定のイベントの内容に応じた期間に減少する電力消費量を減算する目標演算を実行する電力消費学習部と、
前記目標演算により求められた増加または減少された前記目標電力消費量と、前記電力量測定部により測定された前記電力消費量とを表示する表示部と、
を備え、
前記所定のイベントは、複数のイベントの内容として、居住者が長期不在になるという第１のイベントと、エネルギー消費機器を購入するという第２のイベントと、季節性変更要因の機器の使用を開始するという第３のイベントとに分類され、これらのうち少なくとも一つを含む、
ことを特徴とする電力監視システム。
【請求項２】
請求項１に記載の電力監視システムにおいて、
前記電力消費学習部は、前記イベント記憶部に前記所定のイベントの内容が入力されたとき、前記目標演算において前記目標電力消費量を増加または減少するための目標調整値を求め、この目標調整値により増加または減少された前記目標電力消費量を求める、
ことを特徴とする電力監視システム。
【請求項３】
請求項２に記載の電力監視システムにおいて、
前記所定のイベントが、居住者が長期不在になるという前記第１のイベントである場合には、長期不在のスケジュールが前記入力部により入力され、
前記電力消費学習部は、直近の所定期間における各日の最小電力値の平均値から前記目標調整値を求め、この目標調整値により減少された前記目標電力消費量を求め、
前記表示部は、前記入力された長期不在のスケジュールにおいて、前記減少された目標電力消費量を表示する、
ことを特徴とする電力監視システム。
【請求項４】
請求項２または３に記載の電力監視システムにおいて、
前記所定のイベントが、エネルギー消費機器を購入するという前記第２のイベントである場合には、前記エネルギー消費機器の購入時に、このエネルギー消費機器を、常時使用する常時使用機器と、常時接続され利用時のみに使用される利用機器と、利用時のみ接続され使用される接続機器とのいずれの分類に該当するかが前記入力部により入力され、
前記電力消費学習部は、前記常時使用機器と、前記利用機器、前記接続機器のいずれかの前記入力された分類に対応して、前記目標演算において前記目標調整値を求め、この目標調整値により増加された前記目標電力消費量を求め、
前記表示部は、前記入力された分類に対応して、前記増加された目標電力消費量を表示する、
ことを特徴とする電力監視システム。
【請求項５】
請求項２〜４のいずれか一項に記載の電力監視システムにおいて、
前記所定のイベントが、季節性変更要因の機器の使用を開始するという前記第３のイベントである場合には、冷房および暖房の少なくとも一つの機能を有する機器の使用を開始することが前記入力部により入力され、
前記電力消費学習部は、前記電力消費量記憶部に記憶されている過去の電力消費量より、（１）前記機器の運転時の電力消費量、前記機器の使用頻度および使用期間、または、（２）前記イベント発生以降の利用頻度に基づく待機時電力および運転時電力に対応した前記目標調整値を求め、この目標調整値により増加された前記目標電力消費量を求め、
前記表示部は、前記目標調整値により増加された前記目標電力消費量を表示する、
ことを特徴とする電力監視システム。
【請求項６】
請求項１〜５のいずれか一項に記載の電力監視システムにおいて、
前記所定のイベントは、前記第１のイベントから前記第３のイベント以外の第４のイベントを含み、
前記第４のイベントは、停電または節電というイベントであり、
前記電力消費学習部は、（１）第１のイベントから第３のイベントのうち少なくとも２つを考慮した組み合わせ、または、（２）第１のイベントから第３のイベントのうち少なくとも１つと第４のイベントとを考慮した組み合わせにより目標調整値を求め、この目標調整値により増加または減少された前記目標電力消費量を求め、
前記表示部は、前記いずれかの組み合わせにより求めた前記増加または減少された目標電力消費量を表示する、
ことを特徴とする電力監視システム。
【発明の詳細な説明】
【技術分野】
【０００１】
本発明は、電力監視システムに関する。
【背景技術】
【０００２】
従来、現在までの電力使用状況を考慮して、未来に至る使用電力量に関する情報をユーザに提示し、省電力化のための行動を起こす際の指標を容易に得るためのシステムが提案されていた（特許文献１）。特許文献１は、電力監視装置および表示装置を住戸に設け、電力監視装置は、住戸内における使用電力量を計測する計測手段と、計測手段が計測した使用電力量の履歴を記憶する記憶手段と、使用電力量の履歴に基づいて現在から所定期間経過後の時点における使用電力量を予測し、当該予測結果を表示装置へ送信する予測手段とを備え、表示装置は、使用電力量の予測結果を表示することを開示する。この構成により、将来における使用電力量の予測結果をユーザが表示装置を用いて随時監視できるので、ユーザの省電力に対する意識を提起することができ、例えば、今月の使用電力量が目標電力量を超えるという予測結果が出た場合、今月の残日数は空調機器や床暖房器具等の消費電力の大きい電気機器の使用を控える等の対策を行うことができることを開示する。
【先行技術文献】
【特許文献】
【０００３】
【特許文献１】特開２０１１−７８１８２号公報
【発明の概要】
【発明が解決しようとする課題】
【０００４】
しかし、従来の技術では、日常の生活における目標電力量が変わらないことを前提としている。そのため、例えば、長期不在等のイベントがあった場合でも、前記目標電力量が変更されることがなかった。
【０００５】
本発明は、所定のイベントが発生した際に、前記所定のイベントの内容に応じて増加または減少された目標電力消費量を表示する電力監視システムを提供することを目的とする。
【課題を解決するための手段】
【０００６】
上記課題を解決するために、請求項１に記載の発明は、例えば、図１〜図３に示すように、
所定期間における目標電力消費量と実際に使用された電力消費量とを表示する電力監視システム１００において、
系統電源１から供給された電力消費量を測定する電力量測定部１１と、
この電力量測定部１１により測定された前記電力消費量を記憶する電力消費量記憶部３５ａと、
この電力量測定部１１により測定される前記電力消費量を増加または減少させる所定のイベントを記憶するイベント記憶部３５ｂと、
前記イベント記憶部３５ｂに所定のイベントの内容を入力する入力部３４と、
前記入力部３４により入力された所定のイベントの内容に応じて前記目標電力消費量に前記入力された所定のイベントの内容に応じた期間に増加する電力消費量を加算し、または、前記目標電力消費量から前記入力された所定のイベントの内容に応じた期間に減少する電力消費量を減算する目標演算を実行する電力消費学習部３２と、
前記目標演算により求められた前記増加または減少された目標電力消費量と、前記電力量測定部１１により測定された前記電力消費量とを表示する表示部７ａと、
を備え、
前記所定のイベントは、複数のイベントの内容として、居住者が長期不在になるという第１のイベントと、エネルギー消費機器を購入するという第２のイベントと、季節性変更要因の機器の使用を開始するという第３のイベントとに分類され、これらのうち少なくとも一つを含む、
ことを特徴とする。
【０００７】
請求項１に記載の発明によれば、所定のイベントが発生した際に、前記入力部３４により入力された所定のイベントの内容に応じて、前記目標演算により求められた前記増加または減少された目標電力消費量を表示する表示部７ａを備えるので、前記所定のイベントの内容に応じて増加または減少された目標電力消費量を表示する電力監視システムを提供することができる。
また、前記所定のイベントが、複数のイベントの内容として、居住者が長期不在になるという第１のイベントと、エネルギー消費機器を購入するという第２のイベントと、季節性変更要因の機器の使用を開始するという第３のイベントとに分類され、これらのうち少なくとも一つを含むので、各種イベントに応じて、前記目標演算により求められた増加または減少された前記目標電力消費量を表示できる。
【００１０】
請求項２に記載の発明は、例えば、図１〜図３に示すように、
請求項１に記載の電力監視システム１００において、
前記電力消費学習部３２は、前記イベント記憶部３５ｂに前記所定のイベントの内容が入力されたとき、前記目標演算において前記目標電力消費量を増加または減少するための目標調整値を求め、この目標調整値により増加または減少された前記目標電力消費量を求める、
ことを特徴とする。
【００１１】
請求項２に記載の発明によれば、電力消費学習部３２は、前記イベント記憶部３５ｂに前記所定のイベントの内容が入力されたとき、前記目標演算において前記増加または減少された前記目標電力消費量を求めるので、前記所定のイベントの内容に応じて増加または減少された目標電力消費量を適時に表示できる。
【００１２】
請求項３に記載の発明は、例えば、図１〜図３に示すように、
請求項２に記載の電力監視システム１００において、
前記所定のイベントが、居住者が長期不在になるという前記第１のイベントである場合には、長期不在のスケジュールが前記入力部３４により入力され、
前記電力消費学習部３２は、直近の所定期間における各日の最小電力値の平均値から前記目標調整値を求め、この目標調整値により減少された前記目標電力消費量を求め、
前記表示部７ａは、前記入力された長期不在のスケジュールにおいて、前記減少された目標電力消費量を表示する、
ことを特徴とする。
【００１３】
請求項３に記載の発明によれば、前記電力消費学習部３２は、直近の所定期間における各日の最小電力値の平均値から前記減少された目標電力消費量を求めるので、前記表示部７ａは、前記入力された長期不在のスケジュールにおいて、前記減少された目標電力消費量を表示できる。
【００１４】
請求項４に記載の発明は、例えば、図１〜図３に示すように、
請求項２または３に記載の電力監視システム１００において、
前記所定のイベントが、エネルギー消費機器を購入するという前記第2のイベントである場合には、前記エネルギー消費機器の購入時に、このエネルギー消費機器を、常時使用する常時使用機器と、常時接続され利用時のみに使用される利用機器、利用時のみ接続され使用される接続機器のいずれの分類に該当するかが前記入力部３４により入力され、
前記電力消費学習部３２は、前記常時使用機器と、前記利用機器と、前記接続機器とのいずれかの前記入力された分類に対応して、前記目標演算において前記目標調整値を求め、この目標調整値により増加された前記目標電力消費量を求め、
前記表示部７ａは、前記入力された分類に対応して、前記増加された目標電力消費量を表示する、
ことを特徴とする。
【００１５】
請求項４に記載の発明によれば、前記電力消費学習部３２は、前記常時使用機器と、前記利用機器、前記接続機器のいずれかの前記入力された分類に対応して、前記目標演算において前記増加された目標電力消費量を求めることにより、前記表示部７ａは、前記入力された分類に対応して、前記目標演算において求めた前増加された前記目標電力消費量を表示できる。
【００１６】
請求項５に記載の発明は、例えば、図１〜図３に示すように、
請求項２〜４のいずれか一項に記載の電力監視システム１００において、
前記所定のイベントが、季節性変更要因の機器の使用を開始するという前記第３のイベントである場合には、冷房および暖房の少なくとも一つの機能を有する機器の使用を開始することが前記入力部３４により入力され、
前記電力消費学習部３２は、前記電力消費量記憶部に記憶されている過去の電力消費量より、（１）前記機器の運転時の電力消費量、前記機器の使用頻度および使用期間、または、（２）前記イベント発生以降の利用頻度に基づく待機時電力および運転時電力に対応した前記目標調整値を求め、この目標調整値により増加された前記目標電力消費量を求め、
前記表示部７ａは、前記目標調整値により増加された前記目標電力消費量を表示する、
ことを特徴とする。
【００１７】
請求項５に記載の発明によれば、前記電力消費学習部３２が、前記電力消費量記憶部３２に記憶されている過去の電力消費量より、（１）前記機器の運転時の電力消費量、前記機器の使用頻度および使用期間、または、（２）前記イベント発生以降の利用頻度に基づく待機時電力および運転時電力に対応した前記増加された目標電力消費量を求めることにより、前記表示部７ａは、前記増加された目標電力消費量を表示できる。
【００１８】
請求項６に記載の発明は、例えば、図１〜図３に示すように、
請求項１〜５のいずれか一項に記載の電力監視システム１００において、
前記所定のイベントは、前記第１のイベントから前記第３のイベント以外の第４のイベントを含み、
前記第４のイベントは、停電または節電というイベントであり、
前記電力消費学習部３２は、（１）第１のイベントから第３のイベントのうち少なくとも２つを考慮した組み合わせ、または、（２）第１のイベントから第３のイベントのうち少なくとも１つと第４のイベントとを考慮した組み合わせにより目標調整値を求め、この目標調整値により増加または減少された前記目標電力消費量を求め、
前記表示部７ａは、前記いずれかの組み合わせにより求めた前記増加または減少された目標電力消費量を表示する、
ことを特徴とする。
【００１９】
請求項６に記載の発明によれば、前記電力消費学習部３２は、（１）第１のイベントから第３のイベントのうち少なくとも２つを考慮した組み合わせ、または、（２）第１のイベントから第３のイベントのうち少なくとも１つと第４のイベントとを考慮した組み合わせにより前記増加または減少された前記目標電力消費量を求めることにより、前記表示部７ａは、前記いずれかの組み合わせにより求めた前記増加または減少された目標電力消費量を表示できる。
【発明の効果】
【００２０】
本発明によれば、所定のイベントが発生した際に、前記所定のイベントの内容に応じて増加または減少された目標電力消費量を表示する電力監視システムを提供することができる。
【図面の簡単な説明】
【００２１】
【図１】本発明に係る電力監視システムの一例を示す図である。
【図２】同、電力監視システムの表示例を示す図である。
【図３】同、電力監視システムのフローチャートを示す図である。
【発明を実施するための形態】
【００２２】
以下、図面を参照して本発明の実施の形態について説明する。
【００２３】
＜実施の形態＞
（電力監視システム）
図１において、電力監視システム１００は、系統電源１に接続され、系統電源１から供給された電力消費量を測定し、この系統電源１から複数の照明器具３ａ〜３ｃ，炊飯器４ａ，冷蔵庫４ｂ，テレビ（TV）４ｃ，車両６に供給される電力消費量を測定するための分電盤内センサー１０と、前記複数の照明器具３ａ〜３ｃ，炊飯器４ａ，冷蔵庫４ｂ，テレビ（TV）４ｃ，車両６への電力供給の制御等を行う表示操作モニター７とを備えている。表示操作モニター７は、建物の内壁に取り付けられている。
図２に示すように、電力監視システム１００は、目標電力消費量と実際に使用された電力消費量とを対比可能に表示する。電力監視システム１００は、目標電力消費量として、例えば、過去の同じ時期の電力消費量を目標電力消費量として設定し、表示する。また、電力監視システム１００は、イベントが発生すると、前記目標電力消費量を増加または減少し、実際に使用された電力消費量とを対比可能に表示する。
【００２４】
（分電盤内センサー）
分電盤内センサー１０は、第１電力量測定部１１と、第２電力量測定部１５ａと、第３電力量測定部１５ｂと、第４電力量測定部１５ｃと、第５電力量測定部１６とを備えている。第１電力量測定部１１は、系統電源１から供給された電力消費量を測定する。第２電力量測定部１５ａは、照明器具３ａと炊飯器４ａに供給された電力消費量を測定する。第３電力量測定部１５ｂは、照明器具３ｂと冷蔵庫４ｂに供給された電力消費量を測定する。第４電力量測定部１５ｃは、照明器具３ｃとテレビ（TV）４ｃに供給された電力消費量を測定する。第５電力量測定部１６は、車両６に供給された電力消費量を測定する。車両６は、プラグインハイブリッド車（ＰＨＶ）または電気自動車（ＥＶ）等の充放電可能な車両である。
【００２５】
（表示操作モニター）
前記表示操作モニター７は、タッチパネル式の各種操作を行う入力部３４と、この入力部３４と一体に構成されている、供給可能な電力および電力消費量等を表示する表示部７ａと、前記照明器具３ａ〜３ｃ，炊飯器４ａ，冷蔵庫４ｂ，テレビ（TV）４ｃ，車両６への電力供給を制御する制御手段３０と、外部ネットワークと通信を行う通信手段３１と、各種演算を行う電力消費学習部３２と、測定した電力消費量等を記憶する記憶手段３５と、計時手段３７とを備えている。
【００２６】
記憶手段３５は、前記第１電力量測定部１１により測定された前記電力消費量を記憶する電力消費量記憶部３５ａと、前記第１電力量測定部１１により測定される前記電力消費量を増加または減少させる所定のイベントを記憶するイベント記憶部３５ｂとを有する。前記所定のイベントは、複数のイベントの内容として、居住者が長期不在になるという第1のイベントと、エネルギー消費機器を購入するという第2のイベントと、季節性変更要因の機器の使用を開始するという第3のイベントとに分類されて記憶されている。
【００２７】
入力部３４は、前記イベント記憶部３５ｂに所定のイベントの内容を入力する際に、居住者により操作され、表示部７ａは、第１のイベントから第３のイベントの少なくとも一つを入力部３４により選択可能に表示する。前記所定のイベントの内容が入力されると、前記電力消費学習部３２は、第1のイベントから第３のイベントのうち少なくとも１つを考慮した前記目標電力消費量を増加または減少するための目標調整値を求め、前記表示部７ａは、前記求めた目標調整値により増加または減少された前記目標電力消費量を表示する。例えば、制御手段３０は、表示部７ａに、第１のイベントから第３のイベントをボタン形式で選択可能に表示させ、居住者が長期不在になるという第1のイベントに関するボタンを押下して選択する。居住者は第1のイベントを選択後に、決定ボタンを押して選択結果を確定する。
また、前記所定のイベントは、前記第1のイベントから前記第3のイベントを含み、前記電力消費学習部３２は、第1のイベントから第３のイベントのうち少なくとも２つを考慮した組み合わせにより目標調整値を求め、前記表示部７ａは、前記組み合わせにより求めた前記目標調整値により増加または減少された前記目標電力消費量を表示できる。例えば、制御手段３０は、表示部７ａに、第１のイベントから第３のイベントをボタン形式で選択可能に表示させ、居住者が、エネルギー消費機器を購入するという第2のイベントと季節性変更要因の機器の使用を開始するという第3のイベントとの２つのイベントに関するボタンを押下して選択する。居住者は第1のイベントを選択後に、決定ボタンを押して選択結果を確定する。
【００２８】
居住者は、前記入力部３４により、前記ボタン形式による選択に限られず、表示部７ａにキーボードを表示して、任意の文字を入力し、前記第1のイベントから前記第3のイベント以外の第4のイベントを設定することができる。この第4のイベントとしては、停電、計画停電、電力使用制限等のイベントがある。電力使用制限は、例えば、大口需要家(契約電力５００キロワット以上)の使用最大電力を限る措置であり、所定の期間の平日の昼間に「昨年の同じ期間・時間帯の使用最大電力から１５％減らした値」を上限に制限するといった電気事業法に定められている措置である。
【００２９】
電力消費学習部３２は、前記入力部３４により入力された前記所定のイベントの内容に応じて増加または減少された前記目標電力消費量を求めるために、前記目標電力消費量に前記入力された所定のイベントの内容に応じた期間に増加する電力消費量を加算し、または、前記目標電力消費量から前記入力された所定のイベントの内容に応じた期間に減少する電力消費量を減算する目標演算を実行する。制御手段３０は、表示部７ａに、前記目標演算により求められた増加または減少された前記目標電力消費量と、前記電力量測定部１１により測定された前記電力消費量（実際に使用された電力消費量）とを表示させる。また、電力消費学習部３２は、前記イベント記憶部３５ｂに前記所定のイベントの内容が入力されたとき、前記目標演算において前記目標電力消費量を増加または減少するための目標調整値を求め、この目標調整値により増加または減少された前記目標電力消費量を求める。ここで、目標調整値は、各イベント毎に異なる値であり、１日あたりの電力消費量、または、所定期間の電力消費量に相当する。制御手段３０は、電力消費学習部３２に、この目標調整値を積算させ、表示部７ａに、積算された目標調整値をグラフ表示させると、図２に示すように、目標電力消費量として表示できる。
【００３０】
また、図１に示すように、制御手段３０は、家庭内負荷（照明器具３ａ〜３ｃ、炊飯器４ａ，冷蔵庫４ｂ，テレビ４ｃ）の消費電力量を、第２電力量測定部１５ａから第４電力量測定部１５ｃによってそれぞれ検出された消費電力量に基づいて、系統電力、充電電力ごとに監視し、表示部７ａに表示させる。なお、第３電力量測定部１５ａから第４電力量測定部１５ｃは、電力の検出も可能であり、検出した電力量と電力を制御手段３０に送信する。
また、制御手段３０は、前記車両６の走行体の充電および放電による消費電力量を、第５電力量測定部１６によって検出された消費電力量に基づいて、監視し、系統電力、充電電力ごとに表示部７ａに表示させる。なお、第５電力量測定部１６は、電力の検出も可能であり、検出した電力量と電力を制御手段３０に送信する。
【００３１】
系統電源１は電力会社からの交流電力を供給するもので、分電盤に設けられた第１電力量測定部１１に接続されている。この第１電力量測定部１１によって、外部の系統電力１の電力量を検出可能となっている。この第１電力量測定部１１は表示操作モニター７に接続されおり、この表示操作モニター７の表示部７ａに第１電力量測定部１１によって検出された系統電力の電力消費量が表示可能である。
【００３２】
（第１のイベント）
前記所定のイベントが、居住者が長期不在になるという前記第1のイベントである場合には、長期不在のスケジュールが前記入力部３４により入力される。前記電力消費学習部３２は、直近の所定期間における各日の最小電力値の平均値から前記目標調整値を求め、この目標調整値により減少された前記目標電力消費量求める。前記表示部７ａは、前記入力された長期不在のスケジュールにおいて、前記減少された目標電力消費量を表示する。
【００３３】
例えば、居住者が、長期不在のスケジュールとして、不在期間が７日間であることを前記入力部３４により入力した場合、前記電力消費学習部３２は、直近の所定期間（例えば、７日間）における各日の最小電力値の平均値を求める。ここで、各日の最小電力値は、居住者の外出時、または、就寝時の電力消費量であることが予想されるため、各日の最小電力値から求めた目標調整値を不在期間（例えば、７日）で積算し、この積算された所定期間の目標調整値を不在期間の終了日以降の当初の目標電力消費量から減算し、この結果を、表示部７ａに、グラフ表示させると、図２に示すように、減少された目標電力消費量として表示できる。なお、図２に示すように、減少前の過去実績から設定された当初の目標電力消費量と、減少された目標電力消費量とを同時に表示部７ａに表示することで、居住者は、目標電力消費量が減少されたことと、減少された目標電力消費量とを視覚的に認識可能となる。
【００３４】
ここで、不在期間を「Ｄ」日間とし、Ｄ日間の最小電力値の平均値を「Ａ」とし、前記不在期間（D日間）に対応する当初の目標電力消費量を「T」とし、前記不在期間（D日間）の終了日の当初の目標電力消費量を「Wｘ」とし、減少された目標電力消費量を「Wｙ」とし、減少された目標電力消費量を「Wｙ」を求める計算を式で表すと、以下の式（１）になる。
Wｙ＝Ｗｘ−（Ｔ−Ａ×Ｄ）  ・・・式（１）
【００３５】
（第２のイベント）
前記所定のイベントが、エネルギー消費機器を購入するという前記第2のイベントである場合には、前記エネルギー消費機器の購入時に、このエネルギー消費機器を、常時使用する常時使用機器と、常時接続され利用時のみに使用される利用機器、利用時のみ接続され使用される接続機器のいずれの分類に該当するかが前記入力部３４により入力される。電力消費学習部３２は、前記常時使用機器と、前記利用機器と、前記接続機器との少なくとも一つの前記入力された分類に対応して、前記目標演算において前記目標調整値を求め、この目標調整値により増加された前記目標電力消費量を求める。前記表示部７ａは、前記入力された分類に対応して、前記増加された目標電力消費量を表示する。
【００３６】
例えば、エネルギー消費機器として、空気清浄機と、食器洗い洗浄機と、電気ポットとを購入したとする。居住者は、空気清浄機と、食器荒い洗浄機と、電気ポットとをそれぞれ、常時使用する常時使用機器（空気清浄機）と、常時接続され利用時のみに使用される利用機器（食器洗い洗浄機）、利用時のみ接続され使用される接続機器（電気ポット）の分類に該当することを前記入力部３４により入力する。また、居住者は、空気清浄機と、食器洗い洗浄機と、電気ポットとの各々について、運転時消費電力、待機時消費電力、利用頻度についても、前記入力部３４により入力する。消費電力記憶部３５ａは、機器種類、運転時消費電力、待機時消費電力、利用頻度を記憶する。制御手段３０は、第２のイベントが選択されたときに、表示部７ａに、機器種類、運転時消費電力、待機時消費電力、利用頻度を入力するための項目を表示させ、居住者に各項目について入力する旨のメッセージを表示させる。なお、空気清浄機と、食器洗い洗浄機と、電気ポットとの電力消費量は第２電力消費量検出部１５ａから第３電力消費量検出部１５ｃのいずれかで検出されることとする。
また、制御手段３０は、各項目についての情報が入力されると。空気清浄機と、食器洗い洗浄機と、電気ポットとの各々について、電力消費量記憶部３５ａに、機器種類、運転時消費電力、待機時消費電力、利用頻度を記憶させる。
【００３７】
電力消費学習部３２は、前記常時使用機器（空気清浄機）と、前記利用機器（食器洗い洗浄機）と、前記接続機器（電気ポット）との前記入力された分類に対応して、前記目標演算において前記目標調整値（空気清浄機、食器洗い洗浄機、電気ポット）を求める。例えば、前記空気清浄機（例えば、１０ｗ）の目標調整値は、２４時間の使用で、１０ｗ×２４ｈ（２４０ｗｈ）である。食器洗い洗浄機（例えば、１２００ｗ）の目標調整値は、１日に１５分、２回の使用で、１２００ｗ×０．２５ｈ×２（６００ｗｈ）である。前記電気ポットの目標調整値は、１日に１０．５時間の使用で、沸騰までに１５分、２回の使用で、沸騰時が５００ｗｈ（１０００ｗ×０．２５ｈ×２）および保温時が３５０ｗ（３５ｗ×１０ｈ）の合計８５０ｗｈである。電力消費学習部３２は、これらの一日あたりの目標調整値の合計（１６９０ｗｈ）を過去実績から設定された当初の目標電力消費量に加算し、増加された前記目標電力消費量を求める。前記表示部７ａは、前記入力された分類に対応して、前記増加された目標電力消費量を表示する。
【００３８】
（第３のイベント）
前記所定のイベントが、季節性変更要因の機器の使用を開始するという前記第３のイベントである場合には、冷房および暖房の少なくとも一つの機能を有する機器の使用を開始することが前記入力部３４により入力され、電力消費学習部３２は、前記電力消費量記憶部に記憶されている過去の電力消費量より、（１）前記機器の運転時の電力消費量、前記機器の使用頻度および使用期間、または、（２）前記イベント発生以降の利用頻度に基づく待機時電力および運転時電力に対応した前記目標調整値を求め、この目標調整値により増加された前記目標電力消費量を求め、前記表示部７ａは、前記増加された目標電力消費量を表示する。なお、機器種類、運転時消費電力、待機時消費電力、利用頻度等については、購入時に、第２のイベントで、消費電力記憶部３５ａに記憶されている。
【００３９】
例えば、居住者が冷房暖機器の冷房機能の使用を開始する。この場合、居住者により冷房暖機器の冷房機能の使用を開始することが前記入力部３４により入力される。電力消費学習部３２は、前記電力消費量記憶部に記憶されている過去の電力消費量（例えば、前年同月の１日毎の電力消費量）より、前記冷房暖機器の運転時の電力消費量（例えば、運転時：５００ｗ、待機時：２ｗ）、前記機器の使用頻度（例えば、過去の使用頻度として、１月に平均２０日の使用、１日に平均１．５回の使用、１回につき平均５時間の使用）および使用期間（例えば、７月から９月）に基づき、目標調整値を求める。この１日あたりの目標調整値は、一月が３０日の場合、（２０（日）×（１．５（回）×５（時間）×５００（ｗ）+２（ｗ）×１９（時間））／３０（日）＝２５２５（ｗｈ）である。
電力消費学習部３２は、この目標調整値を過去実績から設定された当初の目標電力消費量に加算し、増加された前記目標電力消費量を求め、前記表示部７ａは、前記増加された目標電力消費量を表示する。
【００４０】
また、電力消費学習部３２は、前記イベント発生以降の利用頻度（例えば、過去３日の使用頻度として、１日に平均１．５回の使用、１回につき平均６時間の使用）に基づく待機時電力（例えば、２ｗ）および運転時電力（例えば、５００ｗ）に対応した前記目標調整値を求めてもよい。この場合、１日あたりの目標調整値は、１．５（回）×６（時間）×５００（ｗ）+２（ｗ）×１８（時間）＝４５３６（ｗｈ）である。
電力消費学習部３２は、この目標調整値を過去実績から設定された当初の目標電力消費量に加算し、増加された前記目標電力消費量を求め、前記表示部７ａは、前記増加された目標電力消費量を表示する。
【００４１】
（第４のイベントとの組み合わせ）
前記所定のイベントは、前記第1のイベントから前記第3のイベント以外の第4のイベント（例えば、停電、計画停電、電力使用制限等）を含み、前記電力消費学習部３２は、第1のイベントから第３のイベントのうち少なくとも１つと第4のイベントとを考慮した組み合わせにより目標調整値を求め、この目標調整値により増加または減少された前記目標電力消費量を求め、前記表示部７ａは、前記組み合わせにより求めた前記増加または減少された目標電力消費量を表示する。
【００４２】
例えば、第３のイベントと第4のイベントとを考慮した組み合わせにより１日あたりの目標調整値を求める。第4のイベントが計画停電（１日に３時間の停電）であるとする。第３のイベントにおいて、冷暖房機の運転時間が３時間を短縮されるとして、目標調整値を求める。この場合、一月が３０日の場合、（２０（日）×（１．５（回）×（５−３）（時間）×５００（ｗ）+２（ｗ）×１９（時間））／３０＝１０２６（ｗｈ）である。
電力消費学習部３２は、この目標調整値を過去実績から設定された当初の目標電力消費量に加算し、により増加された前記目標電力消費量を求め、前記表示部７ａは、前記増加された目標電力消費量を表示する。
【００４３】
（電力監視システムの動作例）
次に、図３を参照して、電力監視システムの動作例について説明する。
制御手段３０は、計時手段３７により日時データを取得し、この日時データに基づき電力消費量記憶部３５ａから昨年同月の電量消費量のデータを読み出し、電力消費学習部３２に過去実績から当初の目標電力消費量を求めさせ、表示部３４に過去実績から設定された当初の目標電力消費量を表示する（ステップＳ１）。
例えば、第2のイベントが発生すると、居住者が、入力部３４により第2のイベントの内容を入力する（ステップＳ２，Ｓ３）。
第2のイベントとして、居住者がエネルギー消費機器として、空気清浄機を購入したとする。居住者は、空気清浄機を常時使用する常時使用機器の分類に該当することを前記入力部３４により入力する。また、居住者は、空気清浄機について、運転時消費電力、待機時消費電力、利用頻度についても、前記入力部３４により入力する。制御手段３０は、第２のイベントが選択されたときに、表示部７ａに、機器種類、運転時消費電力、待機時消費電力、利用頻度を入力するための項目を表示させ、居住者に各項目について入力する旨のメッセージを表示させる。
【００４４】
電力消費学習部３２は、前記入力された分類（常時使用機器）に対応して、前記目標演算において前記目標調整値（空気清浄機）を求める。前記空気清浄機（例えば、１０ｗ）の目標調整値は、２４時間の使用で、１０ｗ×２４ｈ（２４０ｗｈ）である。電力消費学習部３２は、この一日あたりの目標調整値の合計（２４０ｗｈ）を過去実績から設定された当初の目標電力消費量に加算し、増加された前記目標電力消費量を求める。前記表示部７ａは、前記入力された分類に対応して、前記増加された目標電力消費量をグラフで表示する（ステップＳ４）。また、制御手段３０は、表示部７ａに、日単位と、月単位と、年単位とのすくなくとも一つについて増加分の電力消費量を数値で表示させ、終了する（ステップＳ５のＮＯ）。
【００４５】
なお、シミュレーションの場合は、ステップＳ３に戻り（ステップＳ５のＹＥＳ）、居住者は、エネルギー消費機器のカタログなどを見ながら、イベントの内容を再入力し（ステップＳ３）、制御手段３０は、表示部７ａに、前記増加または減少された目標電力消費量を表示する（ステップＳ４）。これにより、エネルギー消費機器を購入する前に、電力消費量を視覚的に知ることができる。
また、シミュレーションの場合は、ステップＳ４において求めた増加または減少された目標電力消費量が、居住者が予め定めた１日あたりの目標電力消費量を超える場合には、制御部３０は、「居住者により予め設定された１日の目標電力消費量超える」旨のメッセージを表示部７ａに表示するようにしてもよい（ステップＳ５）。この場合、ステップＳ３に戻り（ステップＳ５のＹＥＳ）、居住者は、エネルギー消費機器のカタログなどを見ながら、イベントの内容を再入力し（ステップＳ３）、制御手段３０は、表示部７ａに、前記増加または減少された目標電力消費量を表示する（ステップＳ４）。
【００４６】
本実施の形態によれば、所定のイベントが発生した際に、前記入力部３４により入力された所定のイベントの内容に応じて、前記目標演算により求められた増加または減少された前記目標電力消費量を表示する表示部７ａを備えるので、前記所定のイベントの内容に応じて増加または減少された目標電力消費量を表示する電力監視システムを提供することができる。
【００４７】
また、前記所定のイベントが、複数のイベントの内容として、居住者が長期不在になるという第1のイベントと、エネルギー消費機器を購入するという第2のイベントと、季節性変更要因の機器の使用を開始するという第3のイベントとに分類され、これらのうち少なくとも一つを含むので、各種イベントに応じて、前記目標演算により求められた増加または減少された前記目標電力消費量を表示できる。
【００４８】
また、電力消費学習部３２は、前記イベント記憶部３５ｂに前記所定のイベントの内容が入力されたとき、前記目標演算において前記増加または減少された前記目標電力消費量を求めるので、前記所定のイベントの内容に応じて増加または減少された目標電力消費量を適時に表示できる。
【００４９】
また、前記電力消費学習部３２は、直近の所定期間における各日の最小電力値の平均値から前記減少された目標電力消費量を求めるので、前記表示部７ａは、前記入力された長期不在のスケジュールにおいて、前記減少された目標電力消費量を表示できる。
【００５０】
また、電力消費学習部３２は、前記常時使用機器と、前記利用機器、前記接続機器のいずれかの前記入力された分類に対応して、前記目標演算において前記増加された目標電力消費量を求めることにより、前記表示部７ａは、前記入力された分類に対応して、前記目標演算において求めた前増加された前記目標電力消費量を表示できる。
【００５１】
また、電力消費学習部３２が、前記電力消費量記憶部に記憶されている過去の電力消費量より、（１）前記機器の運転時の電力消費量、前記機器の使用頻度および使用期間、または、（２）前記イベント発生以降の利用頻度に基づく待機時電力および運転時電力に対応した前記増加された目標電力消費量を求めることにより、前記表示部７ａは、前記増加された目標電力消費量を表示できる。
【００５２】
また、前記電力消費学習部３２は、（１）第1のイベントから第３のイベントのうち少なくとも２つを考慮した組み合わせ、または、（２）第1のイベントから第３のイベントのうち少なくとも１つと第4のイベントとを考慮した組み合わせにより前記増加または減少された前記目標電力消費量を求めることにより、前記表示部７ａは、前記いずれかの組み合わせにより求めた前記増加または減少された目標電力消費量を表示できる。
【００５３】
（変形例）
上記実施の形態においては、建物の内壁に取り付けられている表示操作モニター７を例に説明したが、これに限られない。電力監視システム１００において、分電盤内センサー１０を除いて建物外部に設けることができる。例えば、表示操作モニター７の代わりに、建物外部に設置した外部サーバーなどを使用してもよい。
また、複数の居住者の履歴を外部サーバーなどで集中管理し、同様のイベントの内容における電力消費量を記憶してデータベースを構築するようにしてもよい。居住者によりイベントの内容が入力されたときに、このデータベースからイベントの内容に対応したデータを抽出し、目標調整値を求めてもよい。外部サーバーのデータベースを利用することにより、予測精度の向上や過去実績のないイベントの内容に対応することが可能になる。
また、目標調整値は、１日あたりの電力消費量、または、所定期間の電力消費量に相当するとして説明したが、これに限られない。目標調整値は、1時間単位、週単位、月単位、若しくは、年単位の電力消費量、または、所定期間の電力消費量に相当してもよい。
なお、変形例においては、上記実施の形態と同じ部分については説明を省略する。
【符号の説明】
【００５４】
１  系統電源
３ａ−３ｃ  照明器具
４ａ  炊飯器
４ｂ  冷蔵庫
４ｃ  テレビ
６  車両
７  表示操作モニター
７ａ  表示部
１０  分電盤内センサー
１１  第1電力量測定部
１５ａ  第２電力量測定部
１５ｂ  第３電力量測定部
１５ｃ  第４電力量測定部
１６  第５電力量測定部
３１   通信手段
３２  電力消費学習部
３４  入力部
３５  記憶手段
３５ａ  電力消費量記憶部
３５ｂ  イベント記憶部
３７  計時手段
１００  電力監視システム
【図１】
0005992678.tif 000002
【図２】
0005992678.tif 000003
【図３】
0005992678.tif 000004